(57)【要約】【課題】アジ等の生き餌を用いてイカ釣り等を行なう際に使用する仕掛であって、従来のようなヤエンの投入等の面倒な操作を必要とすることなく、確実にイカを取り込むことができるようにしようとするものである。【解決手段】仕掛本体を、上方部に長孔を有する屈曲針と、下方部に掛け針を有する棒体とをもって構成するとともに、鈎の長孔内に、棒体の上方側を差し入れ、棒体が横振れ可能な状態にして保持した構成とすることにより、アジ等の生き餌に乗ったイカを瞬時に、また確実に捕え得るようにしようとするものである。【選択図】    図１
2004329039.tif 000002
【特許請求の範囲】
【請求項１】
下方に掛け針３を有する棒体２と、軸７に屈曲部５を有するとともに、上方部に長孔４を有する鈎６とからなり、棒体２の上方部を鈎６の長孔４内に差し入れ、棒体２が長孔４に沿って横振れ可能な状態にして保持したことを特徴とする釣り用仕掛。
【発明の詳細な説明】
【０００１】
【発明が属する技術分野】
この発明は、アジ等の生き餌を用いてイカ釣りを行なう際に使用する仕掛に関するものである。
【０００２】
【従来の技術】
イカ釣りを行なう場合、イカヅノや餌木等の擬餌を使用した釣りが行なわれることが多いのであるが、どのような魚を狙うにしても、アジ等の生き餌は最高の餌であり、擬餌を使用する場合に比べて、比較にならない釣果が期待できるのである。アジ等の生き餌を使用してイカ釣りを行なう場合には、棒体の先端部に掛け針を取り付けるとともに、棒体の途中に、餌のアジを掛ける鈎を取り付けた構成の仕掛が使用されることが多いのである。
【０００３】
【発明が解決しようとする課題】
しかし、従来の仕掛にあっては、掛け針を取り付けた棒体と鈎とを糸で連結した構成となっている結果、アジ等に取り付けた場合、連結部を中心にして掛け針が四方八方に振れ動き、仕掛を投げた段階で掛け針がアジに引っ掛かったり、また、アジが泳いでいるときに掛け針がアジの尾部にまつわり付き、アジ等の泳ぎを阻害し、イカの乗りを悪くするという欠点があるのである。
【０００４】
この発明は、アジ等の生き餌を使用してイカ釣り等を行なう際に使用する仕掛に関するものであって、従来のものにみられた上記のような欠点を除去しようとするものである。
【０００５】
【課題を解決するための手段】
この発明はアジ等の生き餌を使用してイカ釣り等を行なう際に使用する仕掛に関するものものであって、仕掛本体を、上方部に長孔を有する屈曲鈎と、下方部に掛け針を有する棒体とをもって構成するとともに、屈曲鈎の長孔内に、棒体の上方側を差し入れた構成とし、仕掛をアジ等に装着した場合、掛け針を有する棒体がアジ等の頭部側に向けて揺動し得る構成とすることにより、アジ等に乗ったイカを瞬時にして確実に捕え得るようにしようとするものである。
【０００６】
【実施例】
図面にもとづいて、この発明の実施例を説明すると、仕掛本体１は、図１乃至図４に示すとおり、下方側に掛け針３を有する棒体２と、長孔４を有するとともに、軸７の中間部に屈曲部５を有する鈎６とからなり、棒体２の上方部を鈎６の長孔４内に差し入れ、棒体２が長孔に沿って振れ動くような状態にして保持した構成となっているのである。
【０００７】
すなわち、棒体２は、太径のナイロン糸、金属線材、樹脂棒等から構成されており、その下方部に複数本の針の軸部を沿わせて錨状にして配置させた後、結束糸１２での巻き付け固定、ハンダ付け固定、あるいは接着剤での接着固定等の方法により、錨状の掛け針３を配置形成した構成となっており、また、上端部には、膨出部８が形成されており、膨出部８の下方に釣り竿から延出した釣り糸１３を繋ぎ止め得る構成、あるいは、図５に示すにように、上端部に環１８を形成し、その環１８に釣り糸１３を繋ぎ止め得る構成となっているのである。また、棒体２の上方部は、パイプ９を被せることによって補強されており、大きなイカが掛って強烈に引っ張った場合でも、折損することがないように構成されているのである。なお、棒体２の補強方法としては、その基部の径が太くなるように一体成形した構成とすることも可能である。
【０００８】
鈎６は、図１、並びに図２に示すとおり、針軸７の下方に、アジ１６等の生き餌の背部に引っ掛け得るフック部１４を形成し、その上端部に、棒体２を内部に差し入れ得るとともに、棒体２を内部に差し入れた場合、棒体２を横方向に向けて振り動かし得る長孔４を形成した構成となっており、また、軸７には、横斜め方向に向けた屈曲部５を形成することによって、長孔４が斜め上方向きになるように形成されているのである。従って、図１、並びに図５に示すように、長孔４内に棒体２の上方部を差し入れて保持し、図３に示すような状態にしてアジ１６に取り付けた場合、釣り糸１３の引っ張りにより、掛け針３はアジ１６の頭部側に向けて振れ動く一方、棒体２が鈎６の軸７に沿った形となって保持されている結果、掛け針３がアジ１６の尾側に回動することはなく、仕掛を投げ入れる際や、アジ１６が海中で泳いでいる際に、掛け針３がアジ１６の尾部に引っ掛かることがないように構成されているのである。
【０００９】
鈎６は上記のような構成であり、長孔４内に棒体２の上部を差し入れた状態とした後、鈎６の屈曲部５付近から延出させた保持糸１０を棒体２の上端部付近に結び付けることによって、棒体２の上方位置に保持させた構成となっているのである。
【００１０】
なお、上記は、鈎６を、棒体２の上端部から延出させた保持糸１０によって保持した場合の実施例であるが、別実施例としては、図５に示すとおり、棒体２における鈎６の配置個所の下方部に膨出部１５を形成し、その膨出部１５により鈎６を保持した構成とすることも可能である。
【００１１】
この発明にかかるイカ釣り用仕掛本体１は、上記のような構成であって、その使用は図３に示すような要領によって行なわれるのである。すわち、釣り竿から延出した釣り糸１３を、棒体２の上端部に結び付け固定した後、鈎６のフック部１４をアジ１６の背部に刺し入れて保持し、棒体２が略垂直状になるようにして海中に投下し、アジ１６等にイカ１７が乗るのを待つという要領で行なわれるのある。
【００１２】
【発明の効果】
この発明にかかる釣り用仕掛は、上記のような構成であって、アジ１６にイカ１７が乗って引っ張った段階で、図４に示すように、即座に棒体２が上方側に反転し、棒体２の掛け針３がイカ１７に掛り、イカ１７を瞬時に捕え得るという速攻性があり、また、棒体２が鈎６の長孔４によって保持されている結果、棒体２の掛け針３がイカ１７に向かって的確に反転し、アジ１６に乗ったイカ１７を確実に取り込め得るという利点があるのである。
【００１３】
また、従来の泳がせ仕掛にみられたように、掛け針が糸によって保持された構成となっていた場合、掛け針が四方八方に振れ動き、投げた瞬間に掛け針がアジに引っ掛かって仕舞う可能性があるのであるが、この発明にかかる釣り仕掛にあっては、棒体２が鈎６の長孔４によって保持されている結果、投げた場合であっても、掛け針３がアジ１６に引っ掛かるのを防止し得るし、また、棒体２が鈎６の軸部９に沿った形となって保持されている結果、掛け針３がアジ１６の尾側に回動することはなく、海中で掛け針３がアジ１６の尾付近に引っ掛かるのを防止し得るという利点があるのである。
【図面の簡単な説明】
【図１】仕掛の全体の構成を示す斜視図である。
【図２】鈎の構成を示す斜視図である。
【図３】仕掛の使用状態を示す側面図である。
【図４】イカの掛り状態を示す側面図である。
【図５】仕掛の別実施例を示す斜視図である。
【符号の説明】
１  仕掛本体
２  棒体
３  掛け針
４  長孔
５  屈曲部
６  鈎
７  軸
【図１】
2004329039.tif 000003
【図２】
2004329039.tif 000004
【図３】
2004329039.tif 000005
【図４】
2004329039.tif 000006
【図５】
2004329039.tif 000007